(57)【要約】【課題】動作試験の対象である通信中継装置が試験の対象となる空気調和機に対して故障信号の出力及び出力停止を行わせるよう制御することによって、動作試験に掛かる手間を劇的に軽減させることのできる空調機器監視システムおよびこのようなシステムに好適な空気調和機を提供する。【解決手段】異常状態を知らせる信号の発報を行うことのできる空気調和機１と、空気調和機１の運転を監視する監視装置２と、空気調和機１と監視装置２とに接続され、空気調和機１と監視装置２との間の通信を中継する通信中継装置３と、からなり、通信中継装置３は、空気調和機１に対して異常信号の出力を指令するとともに、異常信号の出力停止を指令する異常信号制御部３２を備えることを特徴とする。【選択図】図４
2011122741.tif 000002
【特許請求の範囲】
【請求項１】
異常状態を知らせる信号の発報を行うことのできる空気調和機と、
前記空気調和機の運転を監視する監視装置と、
前記空気調和機と前記監視装置とに接続され、前記空気調和機と前記監視装置との間の通信を中継する通信中継装置と、からなり、
前記通信中継装置は、前記空気調和機に対して異常信号の出力を指令するとともに、前記異常信号の出力停止を指令する異常信号制御部を備えることを特徴とする空調機器監視システム。
【請求項２】
前記通信中継装置は、前記異常信号の出力開始から出力停止までの間の時間を計測する計時部を備えることを特徴とする請求項１に記載の空調機器監視システム。
【請求項３】
前記異常信号制御部は、前記通信中継装置に接続される試験操作用機器からの指令に基づいて異常信号の制御を行うことを特徴とする請求項１または請求項２に記載の空調機器監視システム。
【請求項４】
監視装置に通信中継装置を経由して運転状態や異常状態を知らせる空気調和機において、外部からの指令に基づいて異常信号の出力及び停止を行う強制異常信号制御手段を備えたことを特徴とする空気調和機。
【発明の詳細な説明】
【技術分野】
【０００１】
本発明は、空気調和機とこの空気調和機を監視する監視装置と両者の間の通信を中継する通信中継装置から構成される空調機器監視システムおよびこのようなシステムに好適な空気調和機に関する。
【背景技術】
【０００２】
従来より例えば、ビルのテナント内やホテル等の客室内にはそれぞれ空気調和機が設置されており、室内ごとに空調が行われている。また、これら複数の空気調和機の運転状態を監視するために、監視装置が設けられる場合がある。これら空気調和機と監視装置との間には通信線が接続され、互いに信号をやりとりしている。特に、監視装置に接続される空気調和機の台数が多くなると、監視装置と空気調和機との間に両者の通信を中継する通信中継装置が設置される。
【０００３】
以下の特許文献１には、空気調和機群とビル中央監視盤との間に両者を中継する集中制御装置、すなわち、通信中継装置を備えた発明が開示されている。
【先行技術文献】
【特許文献】
【０００４】
【特許文献１】特開平６−２４１５４４号公報
【発明の概要】
【発明が解決しようとする課題】
【０００５】
しかしながら、上述の特許文献１に開示されている発明では、通信を中継する集中制御装置の動作試験に関しては何ら触れられていない。
【０００６】
すなわち、新たに通信中継装置が設置される場合には、この通信中継装置を介して空気調和機と監視装置との間で適切に通信が行われるかの動作試験が必要となる。また、空気調和機、監視装置、通信中継装置がそれぞれ異なる製造者によって製造された装置である場合にはなおさらである。動作試験は、通信線が正常に接続されていることを確認するだけでなく、空気調和機と監視装置との間の通信内容も正常に伝わることを確認する試験も含まれる。例えば、空気調和機で発生した故障や異常を監視装置に通報するための動作試験は必須の試験項目である。
【０００７】
この異常通報の動作試験は、通常、試験の対象となる空気調和機から故障や異常を示す故障信号を発報させるために、該当する空気調和機に対して強制的にセンサの異常等、何らかの異常状態を実際に発生させるための操作が行われる。例えば、対象となる空気調和機内の室温センサをコネクタから外してからその空気調和機に対して運転指示を出す。この指示を受信すると、空気調和機の制御部では、センサの断線と判断して、通信中継装置に対して異常発報がなされる。この異常発報が、通信中継装置を経由して監視装置に届き、監視装置において、該当する空気調和機が異常であることを何らかの形で表示したり、警報を出したりする所定の動作が実行されることを確認しなければならない。
【０００８】
動作試験のためとは言え、正常な空気調和機に対して意図的に異常を生じさせる処理は好ましくないばかりではなく、異常状態を発生させた後、一旦取り外したセンサを改めてコネクタに差し込み復旧させる作業は、検査者に多大な手間を掛けさせることになる。
【０００９】
特に監視装置に接続されるような大規模ビルで用いられている空気調和機は吹出口と吸込口を除き、天井内に埋め込まれているいわゆる天吊り形や、本体全体が天井内に収納され、吹出口と吸込口がダクトで接続されるダクト式が多用される。このような形態の空気調和機では、センサは天井内に取り付けられている空気調和機本体内部に収納されているため、据付後にセンサを取り外し、元に戻すのは、大変面倒な作業となる。
【００１０】
さらに、この異常発報の確認は、空気調和機毎に実施する必要があるため、当然ながら、接続される空気調和機の台数が多くなればなるほど動作試験に時間が掛かってしまう。
【００１１】
本発明は上記課題を解決するためになされたものであり、本発明の目的は、動作試験に掛かる手間を劇的に軽減させることのできる空調機器監視システムおよびこのようなシステムに好適な空気調和機を提供することである。
【課題を解決するための手段】
【００１２】
本発明の実施の形態に係る第１の特徴は、空調機器監視システムにおいて、異常状態を知らせる信号の発報を行うことのできる空気調和機と、空気調和機の運転を監視する監視装置と、空気調和機と監視装置とに接続され、空気調和機と監視装置との間の通信を中継する通信中継装置と、からなり、通信中継装置は、空気調和機に対して異常信号の出力を指令するとともに、異常信号の出力停止を指令する異常信号制御部を備えることを特徴とする。
【００１３】
本発明の実施の形態に係る第２の特徴は、監視装置に通信中継装置を経由して運転状態や異常状態を知らせる空気調和機において、外部からの指令に基づいて異常信号の出力及び停止を行う強制異常信号制御手段を備える。
【発明の効果】
【００１４】
本発明によれば、動作試験の対象である通信中継装置が試験の対象となる空気調和機に対して異常信号の出力及び出力停止を行わせるよう制御することによって、動作試験に掛かる手間を劇的に軽減させることのできる空調機器監視システムおよびこれに好適な空気調和機を提供することができる。
【図面の簡単な説明】
【００１５】
【図１】本発明の実施の形態における空調機器監視システムの構成を示す全体図である。
【図２】本発明の実施の形態における通信中継装置の内部構成を示すブロック図である。
【図３】本発明の実施の形態における通信中継装置の内部に設けられる故障信号出力設定テーブルの構成を示す表である。
【図４】本発明の実施の形態における通信中継装置の動作試験の流れを示すシーケンス図である。
【発明を実施するための形態】
【００１６】
以下、本発明の実施の形態について図面を参照して詳細に説明する。
【００１７】
図１は、本発明の実施の形態における空調機器監視システムＳの構成を示す全体図である。空調機器監視システムＳは、複数の空気調和機１と、空気調和機１の運転を監視する監視装置２と、空気調和機１と監視装置２とに接続される通信中継装置３とから構成される。
【００１８】
空気調和機１は、いずれも図示していないが、室内機と室外機から構成され、室内機と室外機とをつなぐ冷凍サイクルによって屋内の空調を行う。また、本発明の実施の形態における空気調和機１は、監視装置２に通信中継装置３を経由して運転状態や異常状態を知らせる通常の通信機能のほかに、後述するように、通信中継装置３等の外部からの指令に基づいて、強制的に異常状態を知らせる信号の発報（出力）を行うとともに外部（監視装置２や通信中継装置３等）からの指令に基づいて、この異常信号の発報を停止させる強制異常信号出力手段１０を備えている。
【００１９】
一般的に、室内機と室外機が１：１で対応している空気調和機１においては、室内機が通信中継装置３と通信し、室内機と室外機が多対１で対応している空気調和機１では、室外機が通信中継装置３と通信するが、個々の空気調和機１の室内機と室外機は信号線で接続されているため、室内機、室外機のいずれが通信中継装置３と通信してもよい。
【００２０】
なお、図１には複数台の空気調和機１（空気調和機１Ａないし１Ｃ）が通信中継装置３に接続された状態が示されているが、通信中継装置３に接続される空気調和機１の台数は単数でも複数でも構わない。以下においては、図１に示される複数台の空気調和機をまとめて空気調和機１と表わす。また、図１では代表として空気調和機１Ａの内部にのみ強制異常信号出力手段１０を記載しているが、他のすべての空気調和機１の内部にも強制異常信号出力手段１０は設けられる。
【００２１】
監視装置２は、通信中継装置３に接続され、通信中継装置３を介して全ての空気調和機１から送られている信号に基づき各空気調和機の運転状態や異常状態を監視する。例えば、空気調和機１の故障等を示す異常信号の出力があった場合には、その異常信号を受信し、異常警報として出力する。この出力により適切な対応が取られることになる。監視装置２は通信中継装置３を介して空気調和機１からの通信を確実に受信することができる状態にあれば設置される場所は特に問わず、空気調和機１が設置される建物の内外いずれであっても良い。
【００２２】
通信中継装置３は、空気調和機１と監視装置２との間の通信を中継する。そのため、一方からの通信を確実に他方へと中継しなければならないため、設置に当たっては適切に通信の中継が行われるか確認する動作試験が行われる。
【００２３】
図２は、本発明の実施の形態における通信中継装置３の内部構成を示すブロック図である。通信中継装置３は、監視装置２と信号の授受を行う監視装置２側の送送受信部３１と、通常運転中に監視装置２と空気調和機１の間に入って信号の中継処理を行う信号処理部３６と、空気調和機１と信号の授受を行う空気調和機１側の送受信部３５と、接続確認のために新たに設けられた異常信号制御部３２と、異常信号出力設定テーブル（記憶装置）３３と、計時部３４とから構成される。異常信号制御部３２は、異常信号出力設定テーブル（記憶装置）３３と計時部３４に接続されるとともに、送送受信部３１と送受信部３５に接続されている。
【００２４】
通信中継装置３は、通常の運転状態においては、監視装置２からの信号を送送受信部３１で受信し、信号処理部３６でその信号内容に応じた処理を行い、送受信部３５から指定された空気調和機１に信号を送信する。また、通信中継装置３は、逆に空気調和機１からの運転状態や異常状態を示す信号を送受信部３５で受信し、信号処理部３６でその信号内容に応じた処理を行い、送送受信部３１から監視装置２に信号を送信する。異常信号制御部３２は、詳細を後述するが、各空気調和機１に対して異常信号の出力及び異常信号の出力停止を指令する。図２で示す通信中継装置３を構成する各部の働きについては、後述する通信中継装置３の動作試験の流れを説明する際に併せて説明する。
【００２５】
図３は、異常信号出力設定テーブル３３に規定されているデータテーブルの一例を示した表である。表は大きく左右２つの項目に分かれており、「テーブル要素」とこのテーブル要素の内容を表わす「内容」である。「テーブル要素」としては、まず、通信中継装置３に接続される空気調和機１それぞれの「機器番号」が挙げられる。これは、同じくテーブル要素である「空気調和機アドレス」と関連づけて規定される。「機器番号」は、意味を持たない機器固有の番号であるが、「空気調和機アドレス」は、複数の空気調和機の区分、例えば、フロアごとや冷凍サイクル系統ごとなどの意味を持つ固有番号である。これらの要素によって、通信中継装置３の動作試験を行う際に異常信号の出力対象となる空気調和機１を設定することができる。
【００２６】
「異常信号出力の動作状態」は、出力対象となる空気調和機１における動作状態を示している。これは動作試験の状態によって「０：未設定」、「１：設定済み」、「２：動作中」、「３：終了」の４つの段階に分けられている。
【００２７】
「異常信号出力の方式」には、出力対象となる空気調和機１にどのような方式で異常信号を出力させるかが決められている。「方式１」は、「継続時間タイマ方式」とされる方式であり、出力対象となる空気調和機１に対して異常信号の出力を予め定められた時間継続して発報（出力）させる方式である。継続時間は、時間をカウントする計時部３４が計測する。
【００２８】
「方式１」については、「テーブル要素」としてさらに、「方式１タイマ番号」と「方式１継続時間タイマ設定値」の２つの項目が設定される。前者は、複数の継続時間が設定された場合に、異常警報制御部によって自動で割り当てられる番号である。なお、計時部３４は図面では１つしか記載していないが、実際にはソフト処理で実行されるタイマーで、複数の継続時間に対応できるようになっている。後者は、故障信号出力の継続時間が記憶される。この継続時間は、例えば、通信中継装置３に接続される空気調和機１の台数等によって接続確認を行う作業者によって定められる。従って、継続時間は自由に変更可能とされる。なお、方式１の継続時間の設定は、作業者によって後述する試験操作用機器４を用いて行われる。
【００２９】
例えば、ビルのフロアごとに設置されている空気調和機から異常信号を出させる場合、１階に設置されている空気調和機の警報の継続時間を１０分とし、２階の空気調和機の警報の継続時間を２０分とした場合、方式１タイマ番号には継続時間１０分のタイマに“１”が割り当てられ、継続時間２０分のタイマには“２”が割り当てられる。
【００３０】
実際に、複数の空気調和機１の異常発報を監視装置２で確認する際には、異常発報した空気調和機の確認に時間が掛かること、フロアごとに異常発報が復帰していくことを確認したいケースが多いことから、空気調和機のグループごとに継続時間を設定できれば、便利であることからこのような設定を可能としている。
【００３１】
一方、「方式２」は、「時刻設定方式」と言われる方式であり、具体的な開始時刻と終了時刻とを設定する方式である。開始時刻、終了時刻の設定、及び開始時刻と終了時刻との間の計時は同じく計時部３４によって行われる。計時部３４は、時刻を示す時計も含まれており、上述の継続時間設定の方式と時刻設定の方式のいずれにも対応可能である。
【００３２】
「方式２」については、「テーブル要素」としてさらに、「方式２開始時刻」と「方式２終了時刻」の２つの項目が設定されている。前者は、故障信号の出力が開始される時刻を、後者は、故障信号の出力が停止される時刻を定める。なお、方式２を採用するに当たって開始時刻、或いは、終了時刻の設定は、後述する試験操作用機器４を介して接続確認を行う作業者によって行われる。
【００３３】
本発明の実施の形態における空調機器監視システムＳには、上述した空気調和機１、監視装置２及び通信中継装置３の他に、この通信中継装置３に試験操作用機器４が接続可能となっている。試験操作用機器４は、接続確認を行う作業者が持ち込むもので、例えば、パソコン等の情報端末であり、必要に応じて通信中継装置３に接続する。試験操作用機器４を通信中継装置３に接続し、試験操作用機器４を介して通信中継装置３の動作試験が行われる。従って、通信中継装置３の動作試験に際して必要となる上述の、異常信号を出力させる空気調和機１の選択、空気調和機１毎のタイマ方式の選択、継続時間もしくは開始・終了時刻の設定は、この試験操作用機器４の入力部を用いて設定される。
【００３４】
なお、以下の本発明の実施の形態においては、試験操作用機器４を動作試験を行うに際して通信中継装置３から空気調和機１へと異常信号の出力、出力停止を指示させる機器として通信中継装置３に接続する例を挙げて説明する。
【００３５】
但し、空気調和機１へと異常信号の出力、出力停止の指示については、例えば、通信中継装置３に空気調和機１へ異常信号出力、出力停止を指示するためのスイッチが設けられており、このスイッチをＯＮ、ＯＦＦすることによって異常信号出力、出力停止を指示することができるようにされていても良い。
【００３６】
また、空気調和機１への異常信号出力、出力停止の指示は、監視装置２から通信中継装置３を介して行われるように設定されていても良い。
【００３７】
図４は、本発明の実施の形態における通信中継装置３の動作試験の流れを示すシーケンス図である。以下、このシーケンス図を使用して、上述した「方式１」を用いての通信中継装置３の動作試験の流れを説明する。
【００３８】
図４においては、左から試験操作用機器４、監視装置２、通信中継装置３、空気調和機１の順に並べられており、このうち監視装置２、通信中継装置３、空気調和機１が空調機器監視システムＳを構成する。なお、本発明の実施の形態においては試験操作用機器４から空気調和機１への故障信号出力開始、出力停止の指示を行うが、試験操作用機器４の機能を監視装置２または通信中継装置３に組み込んでしまえば試験操作用機器４部分の記載は、組み込まれた装置が兼用することとなる。
【００３９】
まず、試験操作用機器４から接続されている通信中継装置３の異常信号制御部３２に対して異常信号出力の設定対象となる空気調和機１の機器番号のリスト、及びいずれの方式で動作試験を行うかの情報（本説明では「方式１」を採用する）が送信される（ＳＴ１）。故障信号出力の設定対象となる空気調和機１は、通信中継装置３に接続されている空気調和機１の中から任意に選択しても良いし、或いは、通信中継装置３に接続されている全ての空気調和機１を選択しても良い。また、方式１は、ある一定時間異常信号の出力を行う方式であることから、異常信号を出力する継続時間を設定する。
【００４０】
なお、方式１、或いは方式２に関して細かな設定項目については、予め異常信号出力設定テーブル３３のテーブルに規定しておき、ここでは、単に方式１、或いは方式２のいずれかを選択するだけにしておいても良い。
【００４１】
試験操作用機器４からの指令を受信した通信中継装置３は、異常信号制御部３２が受信した機器番号のリストに登録されている機器番号ごとに、異常信号出力設定テーブル３３に方式１の設定情報を登録する。設定内容を登録すると、併せて異常信号出力の動作状態を「１：設定済み」とする。上述したように、通信中継装置３に接続されている全ての空気調和機１が選択されている場合には、全ての空気調和機１ごとに同じようにこれらの登録を行う。
【００４２】
登録を終えた通信中継装置３は、試験操作用機器４に対して指令を受信した旨、登録が終了した旨等、指令に対する応答を行う（ＳＴ２）。試験操作用機器４は、通信中継装置３からの応答を受信した後、異常信号出力を利用した通信中継装置３の動作試験を開始する。試験操作用機器４は、通信中継装置３に対して異常信号出力開始の指示を出す（ＳＴ３）。
【００４３】
送受信部３１にて試験操作用機器４から方式１での異常信号出力（異常発報）開始の指示を受信した通信中継装置３は、試験操作用機器４に対して指示を受信した旨の応答を行い（ＳＴ４）、続いて、異常信号制御部３２においてまず、計時部３４に指令を出す（ＳＴ５）。この指令は、計時部３４が異常信号出力の継続時間を計測するために計時を行わせるものである。併せて異常信号制御部３２は、異常信号出力設定テーブル３３の「異常信号出力の動作状態」を「２：動作中」へと変更する。そして、異常信号出力の設定対象となる空気調和機１に対して送受信部３５を介して異常信号出力の開始指令を送信する（ＳＴ６）。
【００４４】
上述したように、本発明の実施の形態における空気調和機１は、通信中継装置３からの指令を受信し、その指令に基づいて、強制的に異常状態を知らせる信号の発報（出力）を行う強制異常信号出力手段１０が内部に設けられている。従って、異常信号出力の開始指令を受信した異常信号出力の設定対象となる空気調和機１は、異常信号出力モードに自動的に切り替わり、異常信号を通信中継装置３へと送信開始する（ＳＴ７）。
【００４５】
なお、この異常信号の出力は、一度のみならず、上述した継続時間中、所定の周期ごとに空気調和機１から通信中継装置３へと送信される。図４におけるシーケンス図においては、通信中継装置３に対して複数回出力、送信される異常信号をまとめてステップ７と表わしている。
【００４６】
一方、通信中継装置３は、継続時間中空気調和機１から異常信号を繰り返し受信し続けることになる。空気調和機１から送受信部３５を介して受信された異常信号は、通常の通信中継処理を行う信号処理部３６において、処理される。この処理は、動作試験で特有のものではなく、通常の運転で行われる処理である。
【００４７】
空気調和機１からの異常信号を受信した信号処理部３６では、ノイズ等による誤信号に基づく誤報を防止するために予め定められている回数受信したことを確認した上で、その異常信号を出力している空気調和機１が異常であると確定する。異常確定の条件については、これ以外にも予め決めておくことができる。
【００４８】
信号処理部３６が異常確定を行うと、信号処理部３６は、送送受信部３１を介して異常警報を監視装置２へ送信する（ＳＴ８）。通信中継装置３からの異常警報を受信した監視装置２は、警報を出力する。この警報の出力は、音声をはじめ、例えば、監視装置２にディスプレィ等の表示部が設けられている場合には、その画面上に表示させる等、さらには、サービスマンの携帯電話へと通知を行う等、いずれの方法によって出力されても良い。
【００４９】
このように監視装置２が警報を出力することによって、通信中継装置３が空気調和機１と監視装置２との間において適切な動作を行っていることが確認できる。同時に、監視装置２に正しく異常警報が届けば、各通信線も適切に接続されていること、すなわち接続試験も同時に確認することができる。
【００５０】
一連の処理において、通信中継装置３における異常信号の処理に信号処理部３６、実際には通常の信号処理を行うマイクロコンピュータの処理プログラム、を用いることが重要である。これを用いることで、通常の通信状態で発生した異常信号の処理に不具合がないかどうかを確認できるためである。
【００５１】
通信中継装置３の信号処理部３６が空気調和機１から送信される異常信号に基づいて異常であることを確定しても、計時部３４でのタイマ継続時間中は空気調和機１から異常信号が送信され続ける。計時部３４では、継続時間が終了すると、異常信号制御部３２に対してその旨の指令を出す（ＳＴ９）。継続時間が終了した旨の指令を受け取った異常信号制御部３２は、送受信部３５を介して異常信号を出力している空気調和機１に対して異常信号出力の終了指令を送信する（ＳＴ１０）。
【００５２】
通信中継装置３からの異常信号出力終了指令を受信した空気調和機１は、異常出力モードを解除するとともに、受信した指令に応答する（ＳＴ１１）。空気調和機１からの応答を受けて信号処理部３６では、異常信号出力設定テーブル３３中の対応する空気調和機１の「異常信号出力の動作状態」を「３：終了」とする。
【００５３】
空気調和機１は、通信中継装置３に対して異常信号出力終了指令への応答を送信すると、改めて通信中継装置３の信号処理部３６との間で正常時の定期通信を行う（ＳＴ１２）。定期通信は、例えば、正常な運転状態中周期的に通信中継装置３に対して空気調和機１の運転状態等を送信するものである。この正常時の定期通信を受信した通信中継装置３の信号処理部３６は、異常信号出力を行っていた空気調和機１が正常に復帰したと判断し、さらに監視装置２へとその旨（正常復帰の通知）を送信する（ＳＴ１３）。
【００５４】
通信中継装置３から正常復帰の通知を受けた監視装置２は、警報の出力を解除する。
【００５５】
以上の一連の動作試験は、異常信号出力設定テーブル３３に設定されている全ての空気調和機１に対して行なわれる。
【００５６】
次に、通信中継装置３の動作試験を途中で終了させる場合には、以下の手順を踏む。試験操作用機器４から通信中継装置３の動作試験終了、すなわち、異常信号出力終了の指示が通信中継装置３に対して送信される（ＳＴ１４）。異常信号制御部３２は、送受信部３１を介して異常信号出力終了の指示を受信すると、異常信号出力設定テーブル３３における異常信号出力の動作状態が「２：動作中」となっているものがないか確認する。動作中の空気調和機１が存在する場合には、計時部３４も継続時間を計測中であるので、計時部３４に対して計測を中止するよう指示する（ＳＴ１５）。
【００５７】
さらに、異常信号出力の対象として選択された空気調和機１の全てに関して「異常信号出力の動作状態」が「３：終了」となっているかを確認する。この状態で通信中継装置３の動作試験は終了したと判断しても良いが、誤って空気調和機１から通信中継装置３を介して監視装置２へ異常警報が送信されると混乱の基となってしまう。
【００５８】
そこで、異常信号制御部３２が異常信号出力の対象として選択された全ての空気調和機１に関して「異常信号出力の動作状態」が「３：終了」となっていることを確認した上でさらに異常信号出力の解除し忘れの防止処理を行う。
【００５９】
具体的には、通信中継装置３から異常信号出力の対象として選択された全ての空気調和機１に対して再度異常信号出力終了の指令を送信する（ＳＴ１６）。この指令を受信した空気調和機１は、強制異常信号出力手段１０によって、異常出力モードを解除して異常信号の出力を停止するとともに、受信した指令に応答する（ＳＴ１７）。通信中継装置３では、全ての空気調和機１からの応答を受けたか否かを確認した上で、試験操作用機器４に対して異常信号出力終了指示に対する応答を行う（ＳＴ１８）。これにより、通信中継装置３からの指令により空気調和機１から異常信号を出力させ、監視装置２上に異常警報として出力させる、通信中継装置３の動作試験は終了する。
【００６０】
以上説明したような構成及び試験手順を採用することによって、動作試験の対象である通信中継装置が試験の対象となる空気調和機に対して異常信号の出力及び出力停止を行わせるよう制御するため、検査者が動作試験のために空気調和機が設置されている複数の場所に出向き、空気調和機から通信中継装置、監視装置へ向けて異常信号を出力させるための作業を行う必要がなくなり、動作試験に掛かる手間を劇的に軽減させることのできる空調機器監視システムおよびこのようなシステムに好適な空気調和機を提供することができる。
【００６１】
本発明の実施の形態の説明は、上述したように動作試験の方式として「方式１」が採用された場合を例に挙げて説明したが、「方式２」を採用しての動作試験も当然行うことができる。この場合は、作業者は、異常信号出力の開始時刻及び終了時刻を決定し、異常信号出力設定テーブル内に設定する必要がある。この設定は、試験操作用機器４、或いは、監視装置２の場合は、備える入力手段を使用して行われる。通信中継装置３自体から空気調和機１へ出力開始指令、或いは、出力終了指令を出す場合には、通信中継装置３に動作試験を行うためのスイッチの他、時刻設定のための手段が設けられている必要がある。
【００６２】
なお、この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００６３】
１…空気調和機、２…監視装置、３…通信中継装置、４…試験操作用機器、１０…強制異常信号出力手段、３１…送受信部、３２…異常信号制御部、３３…異常信号出力設定テーブル、３４…計時部３４…送受信部、３６…信号処理部
【図１】
2011122741.tif 000003
【図２】
2011122741.tif 000004
【図３】
2011122741.tif 000005
【図４】
2011122741.tif 000006